(57)【要約】【課題】ユーザの意図に反して大判読み取りによる画像が生成されてしまうことを防止すること。【解決手段】搬送路上を搬送される原稿を、その表側から読み取る第１読取手段と、前記搬送路上を搬送される原稿を、その裏側から読み取る第２読取手段と、ユーザの指定に従って大判読み取りモードを設定する設定手段と、前記搬送路上を搬送される原稿が半折された原稿か否かを判定する判定手段と、前記設定手段により前記大判読み取りモードが設定されている場合であって、前記判定手段が半折された原稿であると判定した場合に、前記第１読取手段が読み取った画像と、前記第２読取手段が読み取った画像と、を１つの画像に連結する連結手段と、を備えたことを特徴とする画像読取装置を提供する。【選択図】図６
2010154112.tif 000002
【特許請求の範囲】
【請求項１】
搬送路上を搬送される原稿を、その表側から読み取る第１読取手段と、
前記搬送路上を搬送される原稿を、その裏側から読み取る第２読取手段と、
ユーザの指定に従って大判読み取りモードを設定する設定手段と、
前記搬送路上を搬送される原稿が半折された原稿か否かを判定する判定手段と、
前記設定手段により前記大判読み取りモードが設定されている場合であって、前記判定手段が半折された原稿であると判定した場合に、前記第１読取手段が読み取った画像と、前記第２読取手段が読み取った画像と、を１つの画像に連結する連結手段と、
を備えたことを特徴とする画像読取装置。
【請求項２】
前記連結手段が連結した画像を出力する出力手段を備え、
前記出力手段は、前記設定手段により前記大判読み取りモードが設定されている場合であって、前記判定手段が半折された原稿でないと判定した場合に、前記第１読取手段が読み取った画像及び前記第２読取手段が読み取った画像の少なくともいずれか一方を出力することを特徴とする請求項１に記載の画像読取装置。
【請求項３】
前記設定手段により前記大判読み取りモードが設定されている場合であって、前記判定手段が半折された原稿でないと判定した場合に、これをユーザに報知する報知手段を備えたことを特徴とする請求項１に記載の画像読取装置。
【請求項４】
前記搬送路上を複数の原稿が重なって搬送されているか否かを検出する重送検出手段を備え、
前記判定手段は、前記設定手段により前記大判読み取りモードが設定されている場合であって、前記重送検出手段が複数の原稿が重なって搬送されていることを検出した場合に、前記搬送路上を搬送される原稿が半折された原稿であると判定することを特徴とする請求項１に記載の画像読取装置。
【請求項５】
前記判定手段は、前記第１読取手段が読み取った画像と、前記第２読取手段が読み取った画像と、に基づいて、前記搬送路上を搬送される原稿が半折された原稿か否かを判定することを特徴とする請求項１に記載の画像読取装置。
【請求項６】
前記判定手段は、前記第１読取手段の読み取った画像及び前記第２読取手段の読み取った画像が、両方とも白紙を読み取った画像でない場合に、前記搬送路上を搬送される原稿が半折された原稿であると判定することを特徴とする請求項５に記載の画像読取装置。
【請求項７】
前記判定手段は、前記第１読取手段が読み取った画像及び前記第２読取手段が読み取った画像の双方が、カラー画像である場合に、前記搬送路上を搬送される原稿が半折された原稿であると判定することを特徴とする請求項５に記載の画像読取装置。
【請求項８】
前記搬送路上を複数の原稿が重なって搬送されているか否かを検出する重送検出手段と、
前記重送検出手段の検出結果と、判定閾値と、を比較して、重送が生じているか否かを判定する重送判定手段と、を備え、
前記判定閾値は、前記大判読み取りモードが設定されている場合と、設定されていない場合とで、異なる値が設定されることを特徴とする請求項１に記載の画像読取装置。
【請求項９】
ユーザの指定に従って大判読み取りモードを設定する設定工程と、
搬送路上を搬送される原稿が半折された原稿か否かを判定する判定工程と、
前記設定工程により前記大判読み取りモードが設定されている場合であって、前記判定工程において半折された原稿であると判定した場合に、前記搬送路上を搬送される原稿を、その表側から読み取る第１読取手段が読み取った画像と、前記搬送路上を搬送される原稿を、その裏側から読み取る第２読取手段が読み取った画像と、を１つの画像に連結する連結工程と、
を備えたことを特徴とする画像読取方法。
【請求項１０】
コンピュータを、
ユーザの指定に従って大判読み取りモードを設定する設定手段、
搬送路上を搬送される原稿が半折された原稿か否かを判定する判定手段、
前記設定手段により前記大判読み取りモードが設定されている場合であって、前記判定手段が半折された原稿であると判定した場合に、前記搬送路上を搬送される原稿を、その表側から読み取る第１読取手段が読み取った画像と、前記搬送路上を搬送される原稿を、その裏側から読み取る第２読取手段が読み取った画像と、を１つの画像に連結する連結手段、
として機能させるプログラム。
【発明の詳細な説明】
【技術分野】
【０００１】
本発明は、原稿を読み取る画像読取装置に関する。
【背景技術】
【０００２】
原稿を一枚づつ搬送して画像を読み取る画像読み取り装置の場合、通常は搬送できる原稿の最大サイズを超える原稿を読み取ることはできない。そこで、原稿を半折りすることで、最大サイズを超える原稿を読み取れるようにすることが提案されている（特許文献１）。最大サイズを超える原稿を半分に折って搬送し、その両面読み取りを行うと、その原稿の片面全体が、表裏２枚の画像として取得できる。そして、この２枚の画像を連結することで、本来その画像読み取り装置が読み取ることのできない大きさの原稿を読み取ることができるようになる。例えば、Ａ４サイズまでの両面読み取りが可能な読み取り装置において、Ａ３サイズの原稿を半分に折り畳み、折り畳んだままの状態で両面読み取りを行い、読み取った表裏画像を連結することで、Ａ３サイズの原稿の画像が得られることになる。この読み取り方法を大判読み取りと呼ぶ。
【０００３】
【特許文献１】特許第３４３７２４９号公報
【発明の開示】
【発明が解決しようとする課題】
【０００４】
大判読み取りは、通常、ユーザが大判読み取りモードを指定した場合に実行される。大判読み取りモードが設定されている状態で、半折りされていない最大サイズ以下の通常の原稿が読み取られると、原稿の表裏の画像を連結した画像が生成される。このため、ユーザが大判読み取りモードが設定されていることに気付かずに、最大サイズ以下の通常の原稿の読み取りを行ってしまった場合、ユーザが意図しない画像が生成されてしまう。
【０００５】
本発明の目的は、ユーザの意図に反して大判読み取りによる画像が生成されてしまうことを防止することにある。
【課題を解決するための手段】
【０００６】
本発明によれば、搬送路上を搬送される原稿を、その表側から読み取る第１読取手段と、前記搬送路上を搬送される原稿を、その裏側から読み取る第２読取手段と、ユーザの指定に従って大判読み取りモードを設定する設定手段と、前記搬送路上を搬送される原稿が半折された原稿か否かを判定する判定手段と、前記設定手段により前記大判読み取りモードが設定されている場合であって、前記判定手段が半折された原稿であると判定した場合に、前記第１読取手段が読み取った画像と、前記第２読取手段が読み取った画像と、を１つの画像に連結する連結手段と、を備えたことを特徴とする画像読取装置が提供される。
【０００７】
また、本発明によれば、ユーザの指定に従って大判読み取りモードを設定する設定工程と、搬送路上を搬送される原稿が半折された原稿か否かを判定する判定工程と、前記設定工程により前記大判読み取りモードが設定されている場合であって、前記判定工程において半折された原稿であると判定した場合に、前記搬送路上を搬送される原稿を、その表側から読み取る第１読取手段が読み取った画像と、前記搬送路上を搬送される原稿を、その裏側から読み取る第２読取手段が読み取った画像と、を１つの画像に連結する連結工程と、を備えたことを特徴とする画像読取方法が提供される。
【０００８】
また、本発明によれば、コンピュータを、ユーザの指定に従って大判読み取りモードを設定する設定手段、搬送路上を搬送される原稿が半折された原稿か否かを判定する判定手段、前記設定手段により前記大判読み取りモードが設定されている場合であって、前記判定手段が半折された原稿であると判定した場合に、前記搬送路上を搬送される原稿を、その表側から読み取る第１読取手段が読み取った画像と、前記搬送路上を搬送される原稿を、その裏側から読み取る第２読取手段が読み取った画像と、を１つの画像に連結する連結手段、として機能させるプログラムが提供される。
【発明の効果】
【０００９】
本発明によれば、ユーザの意図に反して大判読み取りによる画像が生成されてしまうことを防止することができる。
【発明を実施するための最良の形態】
【００１０】
＜第１実施形態＞
図１は、本発明の一実施形態に係る画像読取装置１００の模式図である。以下、画像読取装置１００が備える各構成について説明する。シート積載部１０１は、読取対象となる原稿であるシートＳを積載収納する。排出積載部１０２は画像読取処理を終えたシートＳを積載収納する排出積載部である。
【００１１】
画像読取装置１００は、シートＳをシート積載部１０１から排出積載部１０２まで搬送する装置として以下の各構成を備える。搬送ガイド１０３、１０４はシートＳの搬送路を規定し、搬送ガイド１０３は搬送路の下側、搬送ガイド１０４は搬送路の上側を規定している。
【００１２】
ピックアップローラ１１１は、シート積載部１０１に積載されたシートＳを装置内部に向けて給送する。このピックアップローラ１１１はローラ保持部材１１２に支持されている。ローラ保持部材１１２は、送りローラ１１３の軸を中心に回動可能に支持され、ピックアップローラ１１１をシート積載部１０１に積載されたシートＳの最上面に当接する当接位置と積載を妨げない離間位置とに移動可能に支持している。また、送りローラ１１２には、モータ等の不図示の駆動源により回転駆動され、その駆動力はピックアップローラ１１１に伝達される。
【００１３】
シート規制部材１１５は、積載されたシート先端Ｓの位置を規制すると共に、その先端を揃える部材である。シート規制部材１１５は、下側の搬送ガイド１０３の傾斜部分と略平行な実線の位置と、破線の位置と、でモータ等の不図示の駆動源により回動される。シート規制部材１１５は、シートＳを搬送する場合は実線の位置に移動し、シートＳをシート積載部１０１に搭載する場合には破線位置に移動する。破線位置にシート規制部材１１５が移動するとき、シート規制部材１１５がローラ保持部材１１２の一部と当接して、シートＳの積載を妨げない離間位置にピックアップローラ１１１が退避する。
【００１４】
ピックアップローラ１１１が当接位置にある状態で、その回転を開始すると、最上位のシートＳが送りローラ１１３と分離ローラ１１４との間に導かれる。分離ローラ１１４は、送りローラ１１３の送り方向に対して逆方向にシートＳを戻すように回転駆動され、これにより、複数枚のシートＳが搬送されてきた場合に、一枚に捌くことができる。なお、後述する大判読み取りモードが設定されている場合には、分離ローラ１１４は送りローラ１１３と同方向に原稿を送るよう回転し、シートＳの捌き動作が行われないようにする。
【００１５】
搬送ローラ１２１乃至１２４はモータ等の不図示の駆動源により回転駆動される。なお、送りローラ１１３、搬送ローラ１２１乃至１２４の駆動源は共通のものとすることができる。各搬送ローラ１２１乃至１２４には、従動ローラ１３１乃至１３４が押圧されるように配置されてローラ対を構成している。送りローラ１１３及び分離ローラ１１４を通過したシートＳは、これらのローラ対に狭持搬送されて排出積載部１０２まで搬送される。
【００１６】
次に、シートＳを搬送する装置以外の画像読取装置１００の構成を説明する。重送検出部１６０は、搬送されるシートＳが重送されているか（２枚以上同時に搬送されているか）を検出する。本実施形態の場合、重送検出部１６０は、超音波発信器１６１と、超音波受信器１６２と、を備える。超音波発信器１６１と超音波受信器１６２とは、搬送されるシートＳを挟んで対峙する位置に配置される。超音波発信器１６１から超音波信号は、シートＳを通過することにより減衰し、通過するシートＳの枚数が多いほど減衰量が大きくなる。そこで、予め超音波信号がシートＳを一枚通過した場合と、２枚以上通過した場合とで超音波受信器１６２が受信した超音波信号の振幅の変化を調べておき、判定用の閾値を決定することで、搬送されるシートＳが重送されているかを検出できる。判定用の閾値は、本実施形態の場合、２枚重送を判定する閾値と、３枚以上の重送を判定する閾値との２種類使用する。なお、本実施形態では、超音波を用いて重送を検出するが、たとえば赤外線を利用して重送を検出する方式等、他の方式も採用可能である。
【００１７】
画像読取ユニット１４０及び１５０は、それぞれ、光源１４１、１５２と、イメージセンサ１４２、１５２と、を備え、光源１４１、１５２からの光がシートＳで反射した反射光をイメージセンサ１４２、１５２で受光してシートＳ上の画像を読み取る。イメージセンサ１４２、１５２は、ＣＣＤラインセンサやＣＭＯＳラインセンサ等である。シート積載部１０１において、シートＳがその表面を上にして積載されることを前提とすると、画像読取ユニット１４０はシートＳの表側からシートＳを読み取り、画像読取ユニット１５０はシートＳの裏側からシートＳを読み取る。つまり、画像読取ユニット１４０はシートＳの表面の画像を、画像読取ユニット１５０はシートＳの裏面の画像を読み取る。センサ１６３は、シートＳの排出を検出するセンサであり、例えば、光センサである。
【００１８】
次に、画像読取装置１００の制御系の構成について説明する。図２は、画像読取装置１００の制御系のブロック図である。画像読取装置１００は、制御部１０を備える。制御部１０は、ＣＰＵ１１と、ＲＯＭ１２と、ＲＡＭ１３と、入出力Ｉ／Ｆ（インターフェース）１４と、通信Ｉ／Ｆ（インターフェース）１５と、を備える。
【００１９】
ＣＰＵ１１は、ＲＯＭ１２に記憶されたプログラムを実行し、画像読取装置１００全体の制御を行う。ＲＯＭ１２には、ＣＰＵ１１が実行するプログラムや、重送判定用の閾値（２枚用、３枚以上用）等の固定的なデータが記憶される。ＲＡＭ１３には、イメージセンサ１４２、１５２が読み取った画像データや、ＣＰＵ１１の演算結果といった可変データが記憶される。ＲＯＭ１２及びＲＡＭ１３は他の記憶手段でもよい。
【００２０】
入出力Ｉ／Ｆ１４には以下の構成が接続され、ＣＰＵ１１とデータの入出力が行われる。ディスプレイ２０は、ユーザに対して各種の情報を提示する表示装置である。操作部２１は、ユーザが各種の指示等を入力するための入力装置である。駆動回路３２は、送りローラ１１３等を駆動するモータ３１をＣＰＵ１１の命令に従って駆動する。センサ１６３は、上記の通り、シートＳの排出を検出するセンサであり、その検出結果をＣＰＵ１１は取得することができる。
【００２１】
駆動回路３３は超音波発信器１６１をＣＰＵ１１の命令に従って駆動する。駆動回路３４は光源１４１、１５１をＣＰＵ１１の命令に従って駆動する。増幅回路３５は超音波受信器１６２から出力されるアナログ信号を増幅し、Ａ／Ｄ変換回路３６は増幅された信号をアナログ信号からデジタル信号に変換する。これにより、超音波受信器１６２の検出結果をＣＰＵ１１は取得することができる。
【００２２】
Ａ／Ｄ変換器３７及び画像処理回路３８は、各イメージセンサ１４２、１５２毎に設けられる。Ａ／Ｄ変換器３７はイメージセンサ１４２、１５２が出力する、画像を示す信号をアナログ画像信号をデジタル画像信号に変換する。画像処理回路３８はＡ／Ｄ変換器３７が変換したデジタル画像信号に対して、カラーバランス等の調整を行う。ＣＰＵ１１は、画像処理回路３８から出力される画像信号を取得することができる。
【００２３】
通信Ｉ／Ｆ１５には、ＰＣ（パソコン）２００が接続可能であり、これによりＣＰＵ１１はＰＣ２００と通信可能である。通信Ｉ／Ｆ１５はネットワークに接続するためのインターフェースであってもよい。
【００２４】
図３はＰＣ２００のブロック図である。ＰＣ２００は一般的なパソコンであり、制御部２１０を備える。制御部２１０は、ＣＰＵ２１１と、ＲＯＭ２１２と、ＲＡＭ２１３と、ＨＤＤ（ハードディスクドライブ）２１４と、入出力Ｉ／Ｆ（インターフェース）２１５と、通信Ｉ／Ｆ（インターフェース）２１６と、を備える。
【００２５】
ＣＰＵ２１１は、ＲＯＭ２１２やＨＤＤ２１４に記憶されたプログラムを実行する。ＨＤＤ２１４には例えば画像読取装置１００用のドライバが記憶される。ＲＯＭ２１２及びＲＡＭ２１３及びＨＤＤ２１４は他の記憶手段でもよい。入出力Ｉ／Ｆ２１５には、キーボード、マウスといった入力部２２１や、ディスプレイ２２０が接続される。通信Ｉ／Ｆ２１６は画像読取装置１００が接続される。
【００２６】
次に、画像読取装置１００のＣＰＵ１１又はＰＣ２００のＣＰＵ２１１が実行する処理について説明する。図４はモード指定処理を示すフローチャートである。モード指定処理は、画像読取装置１００におけるシートＳの読み取り態様を、ユーザの指定に従って設定する処理である。本実施形態では、以下の３種類のモードを想定する。なお、この他にも例えば白黒読み取りモードやカラー読み取りモード等を設定可能としてもよい。
片面読み取りモード：シートＳの片面（ここでは表側）を読み取り、読み取った画像のファイルを生成する。
両面読み取りモード：シートＳの両面を読み取り、読み取った表側の画像について１ファイル、裏側の画像について１ファイル、合計２つの画像ファイルを生成する。
大判読み取りモード：半折されたシートＳの上面、下面を読み取り、読み取った上面の画像と下面の画像とを連結して１つの画像ファイルを生成する。
【００２７】
図５（ａ）乃至（ｄ）を参照して大判読み取りについて説明する。図５（ａ）は、画像読取装置１００で、半折せずに読み取り可能な大きさの２倍の大きさの原稿の例を例示している。例えば、画像読取装置１００が半折せずにＡ４サイズまでの原稿が読み取り可能である場合、Ａ３サイズの原稿である。
【００２８】
図５（ａ）の原稿を読み取るに際しては、図５（ｂ）に示すように左方向に９０度回転し、破線にて右半分を原稿の裏側に折り返してシート積載部１０１にセットする。この半折された原稿を搬送して、両面読み取りを行うと、画像読取ユニット１４０が読み取った画像は、図５（ｃ）のようになり、画像読取ユニット１５０が読み取った画像は、図５（ｄ）のようになる。そして、これらの画像を、原稿を半折した部分で連結して更に右に９０度回転すると、図５（ａ）の原稿を読み取った画像が得られることになる。
【００２９】
図４のモード指定処理は、画像読取装置１００のＣＰＵ１１又はＰＣ２００のＣＰＵ２１１が実行することができる。画像読取装置１００のＣＰＵ１１が実行する場合、ユーザへのモード指定の案内はディスプレイ２０により行い、ユーザのモード指定操作は操作部２１で受け付ける。ＰＣ２００のＣＰＵ２１１が実行する場合、ユーザへのモード指定の案内はディスプレイ２２０により行い、ユーザのモード指定操作は入力部２２１で受け付ける。
【００３０】
図４において、Ｓ１ではユーザが指定したモードが片面読み取りモードか否かを判定する。該当する場合はＳ４へ進み、該当しない場合はＳ２へ進む。Ｓ２ではユーザが指定したモードが両面読み取りモードか否かを判定する。該当する場合はＳ５へ進み、該当しない場合はＳ３へ進む。Ｓ３ではユーザが指定したモードが大判読み取りモードか否かを判定する。該当する場合はＳ６へ進み、該当しない場合はＳ１へ戻る。
【００３１】
Ｓ４では片面読み取りモードを、Ｓ５では両面読み取りモードを、Ｓ６では大判読み取りモードを、それぞれ設定する。モードの設定は、例えば、ＲＡＭ１３又はＲＡＭ２１３の所定の記憶領域にユーザが指定したモードの種類を記憶することにより行うことができる。
【００３２】
図６は読み取り処理を示すフローチャートである。ここでは読み取り処理を画像読取装置１００のＣＰＵ１１が実行する場合を例に挙げて説明する。画像読取装置１００のＣＰＵ１１は、操作部２１を介したユーザの指示又はＰＣ２００を介したユーザの指示により読み取り処理を開始する。
【００３３】
Ｓ１１では、シート積載部１０１に積載された最も上側のシートＳの搬送を開始する。ここででは、送りローラ１１３の駆動によりピックアップローラ１１１を駆動し、シートＳを装置内部に搬送する。このとき、大判読み取りモードが設定されている場合は分離ローラ１１４の回転方向は送りローラ１１３と同方向とし、大判読み取りモード以外のモードが設定されている場合は、分離ローラ１１４の回転方向は送りローラ１１３と逆方向とする。
【００３４】
Ｓ１２では、現在のモードに応じて重送判定用の閾値を設定する。大判読み取りモードが設定されている場合は３枚以上の重送を判定する閾値を設定し、大判読み取りモード以外のモードが設定されている場合は、２枚重送を判定する閾値を設定する。大判読み取りモード設定時においては、シートＳは半折されて搬送されるため、２枚重送を判定する閾値を用いると誤って重送と判定されることになる。そこで本実施形態では、大判読み取りモードが設定されている場合と、設定されていない場合とで、異なる閾値を設定している。これにより、大判読み取りモード設定時において、誤って重送と判定される場合を回避できる。閾値の設定はＲＯＭ１２から閾値を読み出してＲＡＭ１３の所定の記憶エリアに記憶することで行うことができる。
【００３５】
Ｓ１３では搬送中のシートＳの重送を判定する。ここでは、超音波発信器１６１から超音波を発振し、超音波受信器１６２の受信結果を取得する。そして、Ｓ１２で設定した閾値と、受信結果とを比較して重送の発生を判定する。例えば、受信した超音波信号の振幅（増幅回路３５で増幅後の振幅）が閾値よりも小さい場合は重送発生と判定する。重送発生と判定した場合は、例えば、シートＳの搬送を中断し、ユーザにエラー報知を行う。
【００３６】
Ｓ１４では、シートＳの画像を読み取る。片面読み取りモードが設定されている場合は、画像読取ユニット１４０のみで画像を読み取り、両面読み取りモード又は大判読み取りモードが設定されている場合は、画像読取ユニット１４０及び１５０の双方で画像を読み取る。Ｓ１５では、センサ１６３の検出結果に基づいて、シートＳの搬送を終了する。
【００３７】
Ｓ１６では、大判読み取りモードが設定されているか否かを判定する。該当する場合はＳ１７へ進み、該当しない場合はＳ１８へ進む。Ｓ１７では半折判定処理を、Ｓ１８では画像ファイル作成処理を、それぞれ実行する。詳細は後述する。Ｓ１９ではＳ１８で作成した画像ファイルを、ＰＣ２００へ出力して一単位の処理が終了する。
【００３８】
図７はＳ１７の半折判定処理の例を示すフローチャートである。半折判定処理は、読み取り対象のシートＳが半折されたものか否かを判定する処理である。本実施形態の場合、Ｓ１３で取得した超音波受信器１６２の受信結果を、２枚重送を判定する閾値と比較してシートＳが半折されたものか判定する。つまり、シートＳが半折された状態はシートＳが２枚重送された場合と同様の状態であるので、２枚重送を判定する閾値を半折判定の閾値として用いることで、シートＳが半折されたものか否かを判定することができる。
【００３９】
図７において、Ｓ２１ではＳ１３で取得した超音波受信器１６２の受信結果が示す、超音波信号の振幅（増幅回路３５で増幅後の振幅）が、２枚重送を判定する閾値よりも小さいか否かを判定する。小さい場合はＳ２２へ進み、そうでない場合はＳ２３へ進む。Ｓ２２では、半折判定の結果を半折原稿であるとし、Ｓ２３では半折判定の結果を通常原稿（半折されていない１枚のシート）であるとする。
【００４０】
図８はＳ１８の画像ファイル作成処理の例を示すフローチャートである。画像ファイル作成処理は読み取った画像の画像ファイルを生成する処理である。Ｓ３１では大判読み取りモードが設定されているか否かを判定する。該当する場合はＳ３２へ進み、該当しない場合はＳ３４へ進む。Ｓ３２では、Ｓ１７の半折判定の結果が半折原稿か否かを判定する。該当する場合はＳ３３へ進み、該当しない場合はＳ３５又は破線Ｌで示すようにＳ３６へ進む。例えば、シートＳの裏が白紙と判断した場合等ではＳ３６へ進み、そうでなければＳ３５へ進むことが好適である。
【００４１】
Ｓ３３では連結処理を行う。ここでは、図５（ａ）乃至（ｄ）を参照して説明したように、画像読取ユニット１４０で読み取った画像と、画像読取ユニット１５０で読み取った画像と、を連結して、１つの画像とした画像ファイルを作成する。Ｓ３４では、両面読み取りモードが設定されているか否かを判定する。該当する場合は、Ｓ３５へ進み、該当しない場合は、片面読み取りモードが設定されているとして、Ｓ３６へ進む。
【００４２】
Ｓ３５では、画像読取ユニット１４０で読み取った画像について画像ファイルを１つ作成し、画像読取ユニット１５０で読み取った画像について画像ファイルを１つ作成し、合計２つの画像ファイルを作成する。Ｓ３６では画像読取ユニット１４０で読み取った画像について画像ファイルを１つ作成する。以上により一単位が終了する。
【００４３】
このように本実施形態では、大判読み取りモードが設定されており、かつ、半折原稿と判定された場合にのみ、Ｓ３３で連結処理がなされるて大判読み取りによる画像が生成される。よって、ユーザが誤って大判読み取りモードを設定した場合、或いは、大判読み取りモードが設定されていることに気付かずに、半折されていない通常のシートＳの読み取りを行ってしまった場合であっても、大判読み取りによる画像が生成されない。よって、ユーザの意図に反して大判読み取りによる画像が生成されてしまうことを防止することができる。
【００４４】
また、大判読み取りモードが設定されており、かつ、半折原稿と判定されなかった場合には、Ｓ３５（又はＳ３６）の処理を実行することにより、片面単位の画像ファイルが生成される。したがって、読み取ったシートＳの読み直しが不要となり、ユーザの利便性を向上できる。また、シート積載部１０１に複数の半折原稿を積載して連続的に読み込む場合、通常原稿が混在していても、読み取りモードを逐一設定し直す必要がなく、ユーザの利便性を向上できる。
【００４５】
なお、本実施形態では、搬送終了（Ｓ１５）後に半折判定（Ｓ１７）を行う構成としたが、半折判定はＳ１３の重送判定時に同時に行ってもよい。また、大判読み取りモード設定中に半折原稿と判定されなかった場合に、Ｓ３５の処理を実行するか、Ｓ３６の処理を実行するか、を予めユーザが指定できるようにしてもよい。
【００４６】
＜第２実施形態＞
図９は、図６の読み取り処理に代わる他の読み取り処理の例を示すフローチャートである。図６と同じ処理については同じ符号を付して説明を割愛し、異なる処理について説明する。本実施形態の場合、半折判定（Ｓ１７）の後、Ｓ４０で報知処理を行う。また、Ｓ１８の画像ファイル作成処理に代わる画像ファイル作成処理をＳ１８’にて行う。
【００４７】
図１０（ａ）はＳ４０の報知処理の例を示すフローチャートである。Ｓ４１では、Ｓ１７の半折判定処理の判定結果が半折原稿か否かを判定する。該当する場合は一単位の処理を終了し、該当しない場合はＳ４２へ進む。Ｓ４２では表示処理を行う。ここでは、大判読み取りモードが設定されているが、読み取り原稿が半折された原稿でない旨を、ディスプレイ２０に表示するか、又は、ＰＣ２００に対してディスプレイ２２０に表示するように指示することで報知する。報知は音声を利用してもよい。
【００４８】
Ｓ４３では、選択受付処理を行う。ここでは、ユーザは、操作部２１又は入力部２２１を介して、例えば、以下のいずれかを選択できる。
○大判読み取りモードでの処理の続行。
○両面読み取りモード又は片面読み取りモードへの変更。
○処理の中止。
なお、両面読み取りモード又は片面読み取りモードへの変更は、今回に限った一時的な変更であってもよい。
【００４９】
図１０（ｂ）はＳ１８’の画像ファイル作成処理を示すフローチャートである。Ｓ５１では大判読み取りモードが設定されているか否かを判定する。該当する場合はＳ５２へ進み、該当しない場合はＳ５３へ進む。Ｓ５２では連結処理を行う。ここでは、図５（ａ）乃至（ｄ）を参照して説明したように、画像読取ユニット１４０で読み取った画像と、画像読取ユニット１５０で読み取った画像と、を連結して、１つの画像とした画像ファイルを作成する。Ｓ５３では、両面読み取りモードが設定されているか否かを判定する。該当する場合は、Ｓ５４へ進み、該当しない場合は、片面読み取りモードが設定されているとして、Ｓ５５へ進む。
【００５０】
Ｓ５４では、画像読取ユニット１４０で読み取った画像について画像ファイルを１つ作成し、画像読取ユニット１５０で読み取った画像について画像ファイルを１つ作成し、合計２つの画像ファイルを作成する。Ｓ５５では画像読取ユニット１４０で読み取った画像について画像ファイルを１つ作成する。以上により一単位が終了する。
【００５１】
このように本実施形態では、大判読み取りモードが設定されており、かつ、半折原稿と判定されなかった場合には、これがユーザに報知され（Ｓ４２）、別モード等への変更が可能となる（Ｓ４３）。したがって、ユーザは、読み取ったシートＳの読み直しを必要とせずに、本来意図する読み取りモードでの画像を得られ、ユーザの利便性を向上できる。
【００５２】
＜第３実施形態＞
上記第１及び第２実施形態では、半折判定（Ｓ１７）を超音波受信器１６２の受信結果に基づき行ったが、画像読取ユニット１４０及び１５０が読み取った画像に基づいて行ってもよい。
【００５３】
図１１（ａ）は半折判定処理（Ｓ１７）の他の例を示すフローチャートである。Ｓ６１では、画像読取ユニット１４０が読み取った画像及び画像読取ユニット１４０が読み取った画像の双方が白紙を読み取った画像でないか否かを判定する。双方が白紙画像でない場合はＳ６２へ進んで半折原稿と判定し、いずれか一方又は双方が白紙画像である場合はＳ６３へ進んで通常原稿と判定する。読み取り原稿が半折原稿ではなく、通常原稿の場合、裏面は白紙の可能性がある。従って、いずれかの読み取り面が白紙であれば、半折原稿ではないと判定できる。
【００５４】
なお、公知の画像読取装置として、読み取った画像が白紙などの背景しかない画像であることを検出し、このような本来は出力する必要のない不要な画像を出力しないようにする白紙スキップ機能を備えたものが提案されている。Ｓ６１の判定においては、このような白紙スキップ機能を備えた装置における白紙画像の認識技術を用いればよい。
【００５５】
図１１（ｂ）は半折判定処理（Ｓ１７）の他の例を示すフローチャートである。Ｓ７１では、画像読取ユニット１４０が読み取った画像及び画像読取ユニット１４０が読み取った画像の双方がカラー画像であるか否かを判定する。双方がカラー画像である場合はＳ７２へ進んで半折原稿と判定し、いずれか一方又は双方がカラー画像ではない場合はＳ７３へ進んで通常原稿と判定する。読み取り原稿が半折原稿の場合、半折線を境に画像がカラー画像から白黒画像に変わることは通常ない。逆に、通常原稿の場合、裏面は白紙の可能性がある。従って、双方の読み取り面からカラー画像を読み取った場合は、半折原稿であると判定できる。
【００５６】
なお、公知の画像読取装置としては、読み取った画像は白黒画像なのにカラースキャンを行ってしまった場合に、カラー画像でないことを検出して自動的に白黒画像に変換して出力するカラー画像検出機能を備えたものが提案されている。Ｓ７１の判定においては、このようなカラー画像検出機能を備えた装置におけるカラー／白黒画像の認識技術を用いればよい。
【００５７】
＜第４実施形態＞
上記各実施形態では、図６及び図９の読み取り処理を画像読取装置１００のＣＰＵ１１が実行するものとして説明したが、該読み取り処理の各工程の少なくとも一部の工程をＰＣ２００のＣＰＵ２１１が実行することもできる。例えば、Ｓ３３、Ｓ５２の連結処理は、ＣＰＵ２１１が実行できる。この場合、画像読取ユニット１４０が読み取った画像及び画像読取ユニット１４０が読み取った画像は、先にＰＣ２００へ出力されることになる。
【００５８】
また、Ｓ１７の半折判定もＣＰＵ２１１が実行できる。この場合、判定に必要な超音波受信器１６２の受信結果（第１実施形態）や、画像読取ユニット１４０及び１５０が読み取った画像（第３実施形態）は、先にＰＣ２００へ出力されることになる。本発明の画像読取装置は、上記のように各種処理の少なくとも一部をＰＣ２００等の外部装置が行うシステムとしても構成できる。
【図面の簡単な説明】
【００５９】
【図１】本発明の一実施形態に係る画像読取装置１００の模式図である。
【図２】画像読取装置１００の制御系のブロック図である。
【図３】ＰＣ２００のブロック図である。
【図４】モード指定処理の例を示すフローチャートである。
【図５】（ａ）乃至（ｄ）は大判読み取りの説明図である。
【図６】読み取り処理の例を示すフローチャートである。
【図７】Ｓ１７の半折判定処理の例を示すフローチャートである。
【図８】Ｓ１８の画像ファイル作成処理の例を示すフローチャートである。
【図９】図６の読み取り処理に代わる他の読み取り処理の例を示すフローチャートである。
【図１０】（ａ）はＳ４０の報知処理の例を示すフローチャート、（ｂ）はＳ１８’の画像ファイル作成処理を示すフローチャートである。
【図１１】（ａ）及び（ｂ）は半折判定処理（Ｓ１７）の他の例を示すフローチャートである。
【符号の説明】
【００６０】
１００  画像読取装置
１４０、１５０  画像読取ユニット
【図１】
2010154112.tif 000003
【図２】
2010154112.tif 000004
【図３】
2010154112.tif 000005
【図４】
2010154112.tif 000006
【図５】
2010154112.tif 000007
【図６】
2010154112.tif 000008
【図７】
2010154112.tif 000009
【図８】
2010154112.tif 000010
【図９】
2010154112.tif 000011
【図１０】
2010154112.tif 000012
【図１１】
2010154112.tif 000013